(57)【特許請求の範囲】
【請求項１】
弾球遊技に使用される打玉に付着した汚れを磨き落とすための玉研磨装置であって、
打玉の所定表面を研磨するための研磨部材と、
前記打玉を前記研磨部材に対して回転させながら移動させることにより打玉の研磨を可能とするための移動手段と、
前記移動手段によって前記打玉が移動する移動経路と、
前記移動経路の壁面の複数箇所に設けられ、前記移動手段によって移動する前記打玉を磁力吸着させつつ磁力吸着箇所を中心に当該打玉を回転させることにより前記研磨部材と接触する該打玉の接触表面位置を転換可能な磁化突起体とを有することを特徴とする、玉研磨装置。
【発明の詳細な説明】
【０００１】
【発明の属する技術分野】
本発明は、パチンコ遊技機やコイン遊技機などの弾球遊技機に使用される玉研磨装置に関し、詳しくは、弾球遊技に使用される打玉に付着した汚れを磨き落とすための玉研摩装置に関する。
【０００２】
【従来の技術】
この種の玉磨き装置として従来から一般的に知られているものに、たとえば、弾球遊技に使用される打玉に付着した汚れを磨き落とすための玉研磨装置であって、研磨部材となる布ベルトと打玉とを接触させて打玉を研磨することにより該打玉の汚れを磨き落とす、いわゆるベルト式玉研磨装置があった。
【０００３】
【発明が解決しようとする課題】
しかしながら、このベルト式玉研磨装置では、布ベルトと接触する打玉の接触表面位置が限られていたために、打玉が部分的にしか研磨されず打玉の汚れを十分に除去することができないという不都合があった。
【０００４】
本発明は係る実情に鑑み考え出されたものであり、その目的は、打玉の汚れを万遍なく除去することの可能な玉研磨装置を提供することである。
【０００５】
【課題を解決するための手段】
請求項１に記載の本発明は、弾球遊技に使用される打玉に付着した汚れを磨き落とすための玉研磨装置であって、
打玉の所定表面を研磨するための研磨部材と、
前記打玉を前記研磨部材に対して回転させながら移動させることにより打玉の研磨を可能とするための移動手段と、
前記移動手段によって前記打玉が移動する移動経路と、
前記移動経路の壁面の複数箇所に設けられ、前記移動手段によって移動する前記打玉を磁力吸着させつつ磁力吸着箇所を中心に当該打玉を回転させることにより前記研磨部材と接触する該打玉の接触表面位置を転換可能な磁化突起体とを有することを特徴とする。
【０００７】
【作用】
請求項１に記載の本発明によれば、移動手段の働きにより、前記打玉が前記研磨部材に対して回転しながら移動経路を移動することにより打玉の研磨が可能となる。さらに前記移動経路の壁面の複数箇所に設けられた磁化突起体の働きにより、前記移動手段によって移動する打玉が磁力吸着されつつ磁力吸着箇所を中心に回転することで前記研磨部材と接触する打玉の接触表面位置が転換される。
【０００９】
【発明の実施の形態】
次に、本発明の実施の形態を図面に基づいて詳細に説明する。なお、この実施の形態では、遊技機の一例としてパチンコ遊技機を示すが、本発明はこれに限らず、コイン遊技機などに適用することも可能である。
【００１０】
図１は、遊技機の一例のパチンコ遊技機１および共通カードユニット３３を示す正面図である。
【００１１】
遊技者が遊技をしたい場合には、遊技場に設置されている複数のパチンコ遊技機の中から遊技をしたいパチンコ遊技機１を探し出し、そのパチンコ遊技機に接続されている共通カードユニット３３の共通カード挿入・排出口４０に自己が所有する共通カードを挿入する。共通カードとは、共通カードシステムに加盟している遊技場なら全国どこでも使用できる第三者発行型のプリペイドカードのことである。この共通カードを挿入することにより、その挿入された共通カードに記録されている記録情報が読取られる。カード情報の中には、カード残高情報が含まれており、その読取ったカード残高情報に基づいてカード残高が操作部９に設けられた残高表示器（図示省略）に表示される。そして、遊技者が操作部９に設けられた引落しスイッチ（図示省略）を押圧操作すると、予め定められた額（たとえば１００円）が前記カード残高から引落されて持点に加算更新される。その加算更新された持点が操作部９のドット表示器（図示省略）に表示される。また、パチンコ遊技機１の前面枠の上方部分には、持点を点灯量によってアナログ的に表示する持点アナログ表示器７が設けられている。また、その持点アナログ表示器７の左右にスピーカ８が設けられている。
【００１２】
持点が存在する状態で、遊技者が打球操作ハンドル５を操作すれば、打球ハンマー２６が間欠揺動してパチンコ玉が１発ずつ弾発発射されて遊技領域１１に打込まれる。この弾発発射された発射玉が発射玉検出器２７により検出される。なお、発射勢いが弱すぎて遊技領域１１にまで到達しなかったパチンコ玉は、流下してきてファール玉戻り口５０（図２参照）に進入した後、ファール玉として検出される。そのファール玉を検出するためのファール玉検出器２８が図示する位置に設けられている。遊技領域１１には、通常入賞口２１，１９と始動入賞口２２とが設けられている。また、遊技領域１１のほぼ中央には、複数種類の識別情報を可変表示して表示状態が変化する可変表示装置１２が設けられている。また、その下方には、開閉板１５が開成して遊技者にとって有利な第１の状態と開閉板１５が閉成して遊技者にとって不利な第２の状態とに変化可能な可変入賞球装置１３が設けられている。
【００１３】
パチンコ玉が始動入賞口２２に入賞してその始動入賞玉が始動入賞玉検出器２４により検出されれば、可変表示装置１２が可変開始し、その可変表示装置１２の可変停止時の表示結果が予め定められた特定の表示態様（たとえば７７７）となれば、特定遊技状態が発生して可変入賞球装置１３の開閉板１５が開成して、入賞開口１４内に打玉が入賞しやすい第１の状態となる。可変入賞球装置１３は、通常時においてはソレノイド２３の励磁が解除されているために開閉板１５が閉成して打玉が入賞不可能な第２の状態となっているが、前記特定遊技状態が発生すれば、ソレノイド２３が励磁されて可変入賞球装置１３が第１の状態となる大当り制御が行なわれる。この可変入賞球装置１３の第１の状態は、打玉の所定個数（たとえば１０個）の入賞あるいは所定期間（たとえば３０秒間）の経過のうちいずれか早い方の条件が成立することにより終了して第２の状態となる。また、可変入賞球装置１３の入賞開口１４内には、所定箇所に特定入賞領域１６が設けられており、この特定入賞領域１６に入賞した入賞玉が特定入賞玉検出器１７により検出される。また、可変入賞球装置１３内に入賞したすべての入賞玉が入賞玉検出器１８により検出される。
【００１４】
可変入賞球装置１３が第１の状態となっている期間中に打玉が特定入賞領域１６に入賞して特定入賞玉検出器１７により検出されれば、その回の可変入賞球装置１３の第１の状態が終了するのを待って再度可変入賞球装置１３を第１の状態に制御する繰り返し継続制御が行なわれる。この繰り返し継続制御の上限回数はたとえば１６回と定められている。
【００１５】
可変表示装置１２の上方に設けられている玉入口２０にパチンコ玉が進入すれば、その玉が下方に誘導されて始動入賞口２２の上方にまで導かれ、その始動入賞口２２の上方から再度遊技領域１１に放出される。その結果、放出されたパチンコ玉は始動入賞口２２に入賞しやすい状態となる。図中２５は、遊技状態に応じて点灯または点滅するランプである。また遊技状態１１の最下端部分には、いずれの入賞口や入賞球装置にも入賞しなかったパチンコ玉をアウト玉として回収するアウト口４５が形成されている。前面盤４には、前述した各種表示器やスイッチなどが設けられているとともにスピーカ１０が設けられており、このスピーカ１０からは、大当り時における効果音などが発せられる。図中６はリセットキースイッチであり、このリセットキースイッチ６に遊技場の係員が所定のキーを挿入して操作することにより、大当り終了時に持点を使用しての遊技の続行を許すか否かが入力される。このリセットキースイッチ６の操作がリセット操作検出器６ａにより検出される。また、３２は遊技続行許容表示器であり、リセットキースイッチ６の操作により、遊技続行許容状態になっていることが点灯表示される。
【００１６】
図中３６は、共通カードユニット３３が使用可能な状態であることを点灯表示するユニット使用可表示器である。３７は端数表示スイッチであり、共通カードの残高に端数が存在する場合に、この端数表示スイッチ３７が押圧操作されることにより、その端数が操作部９上の残額表示器（図示省略）により表示されるように構成されている。３８は連結方向表示器であり、この共通カードユニット３３が接続されているパチンコ遊技機の接続方向を点灯表示するものである。３９はカード挿入表示器であり、カード挿入・排出口４０に共通カードが挿入されている旨を点灯表示するものである。また３５は情報出力部であり、挿入された共通カードに関する情報などを遊技場に設置されている管理用のホストコンピュータに出力するためのものである。３４は情報入力部であり、共通カードに関する情報などが管理用のホストコンピュータなどから入力される。また３はガラス扉であり、遊技領域１１の前面を開閉可能に覆うものである。ガラス扉３は、遊技場の係員などが所有する所定の鍵で解錠操作が行なわれることで開成する。
【００１７】
遊技領域１１内において、釘などの影響によりパチンコ玉の玉詰まりが発生した場合には、遊技場の係員などにより、このガラス扉３が開成されて玉詰まりが解消される。また、玉詰まりが発生すれば遊技が一旦中断されるので、サービス玉として係員などがパチンコ玉をいずれかの入賞口に入賞させて、遊技者に所定得点を与える場合がある。この際のサービス玉は、前面盤４の奥に設けられた玉出しレバー部３０を操作することにより、玉出し穴３１より供給される。玉出しレバー部３０は、前面盤開閉部２９を操作させて前面盤４を開くことで、その操作が可能となる。前面盤開閉部２９は、ガラス扉３を開成させないと操作ができない位置に取付けられており、したがって遊技者がその操作を行なうことはできない。
【００１８】
図２〜図５は、パチンコ遊技機１の背面図を示す。パチンコ遊技機１内には、所定数のパチンコ玉が封入されており、この封入玉が破線に示す封入玉循環経路内で循環して遊技に使用されている。すなわち、パチンコ遊技機１は玉封入型のパチンコ遊技機である。また、封入玉循環経路の経路途中に、封入玉を研磨することにより玉の表面の汚れを磨き落とすとともに、研磨された封入玉を打込玉出口４９に導く還元機能を有する機構が設けられている。
【００１９】
図２および図３は、この還元機能（研磨部５４）がそれぞれパチンコ遊技機１に内蔵されている実施形態を示す。一方、図４および図５は、この還元機能（玉還元機６６）がそれぞれパチンコ遊技機１と別体に設けられている実施形態を示す。また、図２および図４は、封入玉が常にそれぞれの還元機能内を介して遊技に使用されている実施形態であり、図３および図５は、必要に応じて封入玉がそれぞれの還元機能内に流入して循環される実施形態である。以下、図２〜図５をそれぞれ還元機能に関する第１実施形態〜第４実施形態として順に詳細な説明を行なう。
【００２０】
まず、図２は、封入玉の還元機能に関する第１実施形態を示す図である。パチンコ遊技機の遊技盤保持枠４３には、遊技盤取付用の回動レバー１００が設けられており、この回動レバー１００を回動操作することにより、遊技盤４２が着脱可能となる。一方、遊技領域１１に設けられている入賞口や可変入賞球装置などから入賞したすべての入賞玉は入賞玉集合カバー部材４４を通じて入賞玉検出器４６へ誘導される。そして、入賞玉検出器４６で検出された入賞玉は合流樋４７に落下して、玉出し通路５２に誘導される。玉出し通路５２は所定個数（たとえば４個）のパチンコ玉を滞留させることが可能な通路長さに構成されており、玉出しレバー部３０（図１参照）が操作されない限り、滞留中のパチンコ玉は玉出し穴３１（図１参照）より排出されない。したがって、玉出し通路５２が所定個数のパチンコ玉で埋まった後は、入賞玉検出器７４から落下したパチンコ玉は合流樋４７に誘導されてアウト口４５に進入したパチンコ玉と合流した後、打込玉検出器４８により検出される。
【００２１】
一方、ファール玉はファール玉戻り口５０から排出された後、ファール玉検出器２８で検出されて、打込玉検出器４８により検出されたパチンコ玉と合流する。なお、発射勢いがあまりに弱すぎてファール玉戻り口５０まで到達しなかったパチンコ玉はファール玉戻り口５１に進入した後、合流樋４７上を誘導されるパチンコ玉と合流する。
【００２２】
そして、遊技領域１１内に打込まれた打込玉、すなわち、打込玉検出器４８により検出されたパチンコ玉のみならず、ファール玉も併せて還元機能の一例となる研磨部５４により上部へ揚送される。また、その途中でパチンコ玉が研磨されることにより、玉に付着した汚れなどが磨き落とされる。なお、この研磨機能に関する詳細については、図６以降で後述する。
【００２３】
研磨部５４により揚送されたパチンコ玉は供給玉検出器５５で検出された後、発射玉誘導路５３へ案内される。なお、供給玉検出器５５の検出により、研磨部５４が正常に動作しているか否か、すなわち、パチンコ玉の揚送が正常に行なわれているか否かを判断することができる。
【００２４】
さらに、発射玉誘導路５３から打込玉出口４９を通って、打球ハンマー２６により打球される玉発射位置に導かれる。この打球ハンマー２６は、打球発射ユニット６７の打球モータ６８による駆動力により間欠揺動される。この打球ハンマー２６の間欠揺動に連動して連動昇降杆６９が上下に動き、その上動動に従ってパチンコ玉が１つずつ打球発射位置に供給される。そして、この打球発射位置に供給されたパチンコ玉が打球ハンマー２６により弾発されることにより、再び遊技領域１１内に打込まれる。
【００２５】
この第１実施形態によれば、封入玉の汚れを磨き落とすための玉研磨機能がパチンコ遊技機内に内蔵されているために、パチンコ遊技機外部に別途玉研磨装置を設ける必要がなくなる。これにより、たとえば、遊技設置島ごとに設けられた大型のペレット式（清浄式）玉研磨装置などが不要となり、その分のコストを低減することができる。
【００２６】
また、研磨部５４はパチンコ遊技機１の枠側に設けられているために、遊技盤４２のみを交換して新たな遊技盤を配設することができ、これにより台交換の際のコストも低減できる。
【００２７】
また、パチンコ玉は常に研磨部５４を介して循環しているために、打球操作により弾発されたパチンコ玉はその度に研磨されることになる。したがって、研磨部５４がパチンコ玉の汚れを磨き落とす能力がさほど高くないものであったとしても、封入玉循環経路内を循環するパチンコ玉を汚れの少ない状態に保つことができる。
【００２８】
また、パチンコ玉が研磨される間も遊技を継続して行なうことができるので、パチンコ玉を研磨するためにわざわざパチンコ遊技機の稼動を停止しなければならないなどといった不都合を回避できる。
【００２９】
また、ファール玉戻り口５０，５１より排出されたパチンコ玉も併せて研磨部５４を介して発射玉誘導路５３に放出されるので、ファール玉を発射玉誘導路５３まで誘導するためにわざわざ揚送装置を設けなければならないという不都合を解消できる。すなわち、この第１実施形態によれば、パチンコ遊技機内でパチンコ玉の研磨を可能とするために研磨部５４を設けたが、これにより、従来、玉封入式パチンコ遊技機に構成されていたファール玉揚送装置を研磨部５４で兼用することでファール玉専用の揚送装置を不要なものとしたのである。
【００３０】
次に図３は、封入玉の還元機能に関する第２実施形態を示す図である。この第２実施形態は第１実施形態とは異なり、合流樋４７に流入したパチンコ玉は必要に応じて研磨部５４に案内される。すなわち、パチンコ玉の研磨を必要とするとき以外は合流樋４７に流入したパチンコ玉は研磨部５４に案内されることなく、直接打込玉出口４９に進入する。
【００３１】
以下、第１実施形態と同一構成部分についてはその説明を省略しつつ、第２実施形態について詳細に説明を行なう。入賞玉検出器４６で検出された入賞玉およびアウト口４５から排出されたパチンコ玉は合流樋４７で合流した後、打込玉検出器４８で検出されて打込玉出口４９へ向けて案内される。合流樋４７から打込玉出口４９に至る経路途中には、合流樋４７と連通する要研磨玉通路５８が設けられており、たとえばパチンコ遊技機１が遊技状態にあるときなどは仕切弁５７により、この通路が閉塞されている。したがって、遊技中は合流樋４７上を流下するパチンコ玉は打込玉出口４９へ進入する。
【００３２】
仕切弁５７はソレノイド５９が励磁されることにより、合流樋４７と要研磨玉通路５８とを連通させる。これにより、合流樋４７を流下するパチンコ玉は打込玉出口４９に案内されることなく、要研磨玉通路５８へ流下して、要研磨玉検出器６０により検出される。ソレノイド５９は、たとえば、すべてのパチンコ玉が要研磨玉通路５８に流下したことが要研磨玉検出器６０により検出されたことを条件に非励磁状態となり、仕切弁５７が通路の連通を閉鎖する。一方、要研磨玉通路５８に流下したパチンコ玉は研磨部５４により研磨された後、再び合流樋４７に放出されて打込玉出口４９に進入する。
【００３３】
この第２実施形態の場合には、以下の条件を満たす場合にソレノイド５９が励磁されて、要研磨玉通路が合流樋４７と連通し、パチンコ玉の研磨が行なわれる。
【００３４】
すなわち、遊技者が共通カードを共通カードユニット３３に挿入していないこと、あるいは挿入された共通カードのカード残額が遊技を行なうに必要とされる額に満たないことが条件となる。しかしながら、封入玉がある程度汚れていること、あるいは汚れていると予想される状態にあることを条件に加えてもよい。これにより、無駄に研磨部５４を作動させることを避けることができる。なお、封入玉の汚れについては、合流樋４７に所定のセンサを設けることによりチェックすることが考えられる。あるいは研磨後のパチンコ玉が研磨部５４から合流樋４７へ放出されてから所定時間経過したことを条件としてもよく、あるいは打込玉検出器４８により所定数の打込玉が検出されたことを条件にしてもよい。
【００３５】
なお、ファール玉戻り口５０，５１より排出されたパチンコ玉は要研磨玉通路５８へ誘導される。そして研磨部５４により上部へ揚送されて合流樋４７に放出される。したがって、第２実施形態においても第１実施形態と同様にファール玉専用の還元装置を設ける必要がなく、コストが低減されるという利点を有する。なお、ファール玉が発生するごとに研磨部５４を介してそのファール玉が合流樋４７に還元されるように構成してもよく、所定個数のファール玉が発生するごとにまとめて還元するように構成してもよい。
【００３６】
この第２実施形態によれば、第１実施形態と同様に研磨部５４がパチンコ遊技機に内蔵されているので、別途、玉研磨装置を外部にわざわざ設ける必要がなく、コストを削減することができる。また、第１実施形態と同様に研磨部５４がパチンコ遊技機の枠側についているので遊技盤４２のみを交換することが可能である。
【００３７】
また、第１実施形態と異なり、研磨部５４を必要時に作動させるパートタイム方式であるために、必要以上にパチンコ玉を研磨することに伴って研磨部材が早期に劣化してしまうという不都合が防止できる。
【００３８】
一方、ソレノイド５９は、励磁状態になってから所定時間経過後に非励磁状態になるように構成してもよい。このように構成することにより、たとえば、すべてのパチンコ玉が要研磨玉通路５８に流下するのに必要とされる時間を超える時間に前記所定時間を接触すれば繰り返しパチンコ玉を研磨することも可能である。
【００３９】
また、研磨部５４内に遊技中に循環されるパチンコ玉とは別の予備用のパチンコ玉を封入しておくことも考えられる。たとえば、遊技中に循環して使用されるパチンコ玉を２０個とし、それ以外の２０個のパチンコ玉を研磨部５４に貯留しておく。そして、循環中のパチンコ玉の汚れ度合いに応じて、循環中のパチンコ玉と研磨部５４内に貯留されているパチンコ玉とを入替えるのである。この場合、合流樋４７から要研磨玉通路５８に連通する連通点は、研磨部５４により検出されたパチンコ玉が合流樋４７に放出される放出点（供給玉検出器５５の位置）よりも図面に向かって右側に位置させることが望ましい。これにより、研磨済みのパチンコ玉と汚れたパチンコ玉との入替が遊技を中断することなく速やかに行なえる。
【００４０】
次に図４は、封入玉の還元機能に関する第３実施形態を示す図である。この第３実施形態、さらに後述する第４実施形態は、前述の第１実施形態および第２実施形態とは異なり、還元機能の一例となる玉還元機６６がパチンコ遊技機１に内蔵されておらず別体となっている。したがって、玉還元機６６のみをパチンコ遊技機１と独立して取り外すことが可能である。
【００４１】
以下、前述の第１実施形態と同一構成部分についてはその説明を省略しつつ、第３実施形態について詳細な説明を行なう。
【００４２】
入賞玉検出器４６で検出された入賞玉、およびアウト口４５から排出されたアウト玉は合流樋４７で合流された後、打込玉検出器４８により検出される。さらにこれらの検出玉がファール玉戻り口５０，５１から排出されたファール玉と合流した後、玉還元機６６に案内される。玉還元機６６内には、パチンコ遊技機１から排出されたパチンコ玉と係合する回転体が設けられており、この回転体が回転することにより、回転体と係合するパチンコ玉は研磨されつつ玉還元機６６の揚送通路９５を介して上方へ揚送される。なお、玉還元機６６については、図１１以降で詳細な説明を行ない、ここではその説明を省略する。
【００４３】
揚送通路９５により揚送されたパチンコ玉は玉還元機６６の補給玉検出器６１により検出された後、パチンコ遊技機１に内蔵された発射玉誘導路５３へ放出される。そして、発射玉誘導路５３を介して打込玉出口４９内に進入することで、再び弾発発射されることが可能となる。
【００４４】
第３実施形態においては、玉研磨機能を有する玉還元機６６がパチンコ遊技機１と別体に設けられている。しかしながら、従来の遊技設置島ごとに設けられていた玉還元装置あるいは研磨装置とは異なり大型のものではない。また、各台ごとに対応して設けられている。したがって、ファール玉を発射玉誘導路５３まで還元するためのみに玉封入式パチンコ遊技機に設けられていた還元装置が不要なものとなり、この機能を玉還元機６６で兼用できる。すなわち、従来においては、パチンコ遊技機が玉封入式であるか否かにかかわらず清掃するために排出されたパチンコ玉を研磨するための装置が遊技機設置島ごとに設けられていた場合が多く、このため、遊技中に発生したファール玉については遊技機内部に専用の還元装置を設ける必要があったのである。しかしながら、パチンコ玉の研磨を各遊技機台ごとに可能とするために研磨機能および研磨されたパチンコ玉を還元するための還元機能が必要となり、これらの機能にファール玉を還元させる機能を兼用させることにより、ファール玉専用の還元装置を不要なものとし、かかるコストの低減を実現したのである。
【００４５】
また、玉還元機６６がパチンコ遊技機１と別体に構成されているので、第１実施形態あるいは第２実施形態と同様に遊技盤４２の交換が可能であるのに加えて、パチンコ遊技機そのものを交換することも可能である。
【００４６】
また、パチンコ遊技機そのものに玉還元機６６が内蔵されていない分だけ、パチンコ遊技機を製造するコストの低減を図ることができる。
【００４７】
また、弾発発射されたパチンコ玉は、ファール玉を含めてすべて玉還元機６６を介して循環されるために、その度にパチンコ玉が研磨されることになる。したがって、玉還元機６６がパチンコ玉を還元するごとにその汚れを磨き落とす研磨能力がさほど高くなくても、封入玉循環経路内のパチンコ玉を汚れのない状態に保つことができる。したがって、玉還元機６６に研磨能力のさほど高くない、比較的安価な研磨機を適用できるために、コストの低減を図ることができる。
【００４８】
次に図５は、封入玉の還元機能に関する第４実施形態を示す図である。この第４実施形態は、前述の第３実施形態と比較して、パチンコ玉の汚れを磨き落とす必要性が生じた場合にのみ、パチンコ玉が玉還元機６６に案内される点において第３実施形態と構成が異なる。あるいは、前述の第２実施形態と比較して、パチンコ玉を研磨するとともにそのパチンコ玉を合流樋４７に還元する還元機能部分（図３における研磨部５４に相当）が玉還元機６６として、パチンコ遊技機１と別体に設けられている点において、第２実施形態とその構成が異なる。以下、前述の第２実施形態および第３実施形態と同一構成部分についてはその説明を省略しつつ、第４実施形態について詳細な説明を行なう。
【００４９】
パチンコ玉の研磨を必要としない状態においては、ソレノイド５９が非励磁状態であり、したがって仕切弁５７は要研磨玉通路５８と合流樋４７との連通を閉塞している。したがって、アウト口４５あるいは入賞口などから排出されたパチンコ玉は合流樋４７を介して打込玉出口４９に案内される。
【００５０】
一方、パチンコ玉の汚れを磨き落とす必要性が生じ、かつ、遊技に支障のない場合には、ソレノイド５９が励磁されることにより仕切弁５７が合流樋４７と要研磨玉通路５８とを連通させる。なお、パチンコ玉を研磨する必要性が生じたか否かの判断については、第２実施形態と同様にパチンコ玉の打込回数や所定時間の経過、あるいは所定のセンサによるパチンコ玉の汚れ度合いの判定などで行なう。
【００５１】
合流樋４７と要研磨玉通路５８とが連通することにより、合流樋４７に案内されるすべてのパチンコ玉は要研磨玉検出器６０で検出後に玉還元機６６へ排出される。そして玉還元機６６により研磨が行なわれた後、上部へ揚送される。揚送されたパチンコ玉は補給玉検出器６１により検出された後、再びパチンコ遊技機１に還元されるべく、合流樋４７に放出される。合流樋４７に放出されたパチンコ玉のうち玉出し通路５２の通路長さを埋め合わせるだけのパチンコ玉は玉出し通路５２へ案内され、残りのパチンコ玉は打込玉出口４９へ向かう。なお、第２実施形態と同様に、この時点で合流樋４７と要研磨玉通路５８との連通部分が閉塞されているように構成してもよく、あるいは、所定回数パチンコ玉の研磨を行なうために連通状態を保っていてもよい。
【００５２】
一方、遊技中に発生するファール玉についてはファール玉戻り口５０，５１から玉還元機６６に排出される。玉還元機６６は、遊技中にファール玉が発生することにより合流樋４７を循環するパチンコ玉の不足分を補うために、発生したファール玉数に相当するパチンコ玉を揚送通路９５より合流樋４７に還元する。この際、ファール玉の発生ごとに、そのファール玉を還元するように構成してもよく、ファール玉が所定個数分滞留した際にまとめてそれらのファール玉を還元するように構成してもよい。あるいは、玉還元機６６内に予め予備用のパチンコ玉を貯留しておき、ファール玉の発生に伴ってこれらの貯留玉によりパチンコ玉を還元するように構成してもよい。
【００５３】
この第４実施形態においては、第３実施形態と同様にファール玉を合流樋４７（第３実施形態を示す図４においては発射玉誘導路５３）に還元する機能を玉還元機６６に持たせたので、ファール玉専用の還元装置が不要である。したがって、その分コストの低減を図ることができる。
【００５４】
また、第３実施形態と同様に遊技盤４２のみならずパチンコ遊技機の交換が可能であり、パチンコ遊技機そのものに還元機能を必要とせず、第１実施形態および第２実施形態に比較してパチンコ遊技機を製造するコストの低減を図ることができる。
【００５５】
また、第３実施形態と比較して、必要時に玉還元機６６を作動させてパチンコ玉の研磨を行なうので、玉還元機６６内の研磨部材を無駄に消費せず、研磨剤が早期に劣化してしまうことを防止できる。
【００５６】
なお、玉還元機６６内に交換用のパチンコ玉を貯留しておくように構成することにより、遊技を中断させることなく、遊技中にパチンコ玉の入替を行なうことが可能である点においては、第２実施形態と同様である。
【００５７】
図６は、図２，図３に示した研磨部５４と適用可能な研磨装置の第１実施形態を示す図である。特に図６（ａ）は、その縦断面図であり、図６（ｂ）は、図６（ａ）のＡ−Ａ線に沿う断面図を示す。
【００５８】
まず、図６（ａ）を参照して合流樋４７（要研磨玉通路５８）に案内されたパチンコ玉は、モータ７１により作動するスクリュー７０により誘導樋７４まで揚送された後、発射玉誘導路５３に放出される。なお、図２，図３に示した供給玉検出器５５の図示を省略してある。
【００５９】
研磨部５４の壁面には、揚送中のパチンコ玉と接触することによりパチンコ玉の研磨を行なうための研磨部材７２が係止部材７３の開閉により着脱可能な態様で設けられている。揚送中のパチンコ玉９４は、スクリュー７０の回転に合わせてスクリュー軸７０ａを中心に回転しつつ上昇し、研磨部材７２と接触する位置に位置するごとに研磨部材７２との摩擦により研磨されつつもほぼ図の矢印方向に回転する。
【００６０】
次に図６（ｂ）を参照して、パチンコ玉９４は研磨部材７２との接触を繰り返しながら揚送されることにより、図の斜線に示す帯状の部分が繰り返し研磨されることで該当部分の汚れが磨き落とされる。なお、摩擦係数が研磨部５４の壁面＜スクリュー７０＜研磨部材７２の順に大きく、かつ、その差が極めて大きいためにパチンコ玉の自転は、ほぼ研磨部材７２と接触する場合にのみ発生し、かつ、その自転方向は図６（ａ）に示す矢印方向に限定され、スクリュー７０の回転による影響は無視できる。
【００６１】
なお、研磨部材７２は係止部材７３を矢印方向に位置させることで容易に交換することが可能である。
【００６２】
図７は、前述した図６に示した研磨装置に関する実施形態の変形例を示す図である。
【００６３】
まず図７（ａ）は、図６（ｂ）と比較して、研磨部材７２に凹部が設けられており、パチンコ玉９４と接触する部分が図６（ｂ）に比べて多くなるような工夫がなされている。この構成によれば、図に示すように図６（ｂ）に比較してパチンコ玉のより広い表面部分を研磨することが可能となる。
【００６４】
図７（ｂ）は、図６（ｂ）に比較して研磨部５４の壁面の所定位置に突起７６を設けてパチンコ玉９４が突起７６と衝突することでパチンコ玉９４が研磨部材７２と接触する接触表面位置が転換される工夫がなされている。図７（ｃ）は、図７（ｂ）を矢印方向から見た一部縦断面図であり、突起７６への衝突前後で変化するパチンコ玉９４の研磨部材接触表面位置が示されている。なお、図に向かってパチンコ玉９４の奥にスクリュー７０（図示省略）が配設されており、手前に研磨部材７２（図示省略）が配設されている。
【００６５】
突起７６へ衝突前は、図の斜線で示す帯状部分が研磨されている。一方、突起７６と衝突することにより、パチンコ玉９４が矢印に示す方向に転動して接触表面位置が転換し、これまでとは異なった表面が新たに研磨されることになる。すなわち、図に示すパチンコ玉の破線で囲まれた帯状部分が新たに研磨される部分となる。
【００６６】
図７（ｄ）は、さらに図７（ｂ），（ｃ）の変形例を示し、突起の代わりに磁石７８を設けたものであり、パチンコ玉９４が磁石７８付近に近づいた際に磁力により、パチンコ玉が所定方向に転動し、図７（ｂ），（ｃ）と同様にして新たな表面が研磨されることになる。なお、図７（ｄ）では磁石７８は壁面より突出するような態様で示されているが、壁面内部に磁石７８が埋込まれていてもよい。
【００６７】
図７に示した構成によれば、パチンコ玉の表面の一部分のみならず、表面の広範囲部分を研磨可能である。なお、突起７６あるいは磁石７８を複数設けることでさらに広範囲を研磨することができる。また、その際には、パチンコ玉の同一周囲を所定回数磨き終わる位置に次の突起７６あるいは磁石７８を設けるように構成することで、より無駄なくきれいにパチンコ玉を研磨することが可能となる。
【００６８】
図８は、図６に示した研磨部材７２のさらに異なる変形例を示す図である。図８（ａ）は、その縦断面図を示し、図８（ｂ）は、図８（ａ）の矢印方向より見た横断面図を示す。図に示すように、研磨部材７２がスクリュー７０を中心に蛇行するような態様で設けられている。したがってパチンコ玉９４は、研磨部材７２を構成する７２ａ，７２ｂ，７２ｃそれぞれと順に接触して研磨されつつ揚送される。
【００６９】
図８（ｃ）は、図８（ａ），（ｂ）に対応して、パチンコ玉９４が研磨部材７２それぞれの構成部分７２ａ，７２ｂ，７２ｃと接触して研磨される研磨表面位置を示す。このような構成によれば、研磨部材７２自体が蛇行しつつパチンコ玉９４の接触表面位置を転換させているので、図６に比較してよりパチンコ玉の広範囲部分を研磨することができる。
【００７０】
図９は、図２，図３に示した研磨部５４として適用可能な研磨装置の第２実施形態を示す図である。この実施形態は図６に示した第１実施形態と比較して、パチンコ玉を遊技使用前に繰り返して研磨することが可能である点に特徴を有する。なお、ここではこの研磨装置を図２に示した研磨部５４に適用させた場合を例に挙げて説明する。また、図６において前述した第１実施形態と同一構成部分についてはその説明を省略する。
【００７１】
研磨部材７２により研磨されつつスクリュー７０により揚送されたパチンコ玉は、誘導樋７４に放出される。誘導樋７４には、仕切弁８１が設けられており、ソレノイド８０が励磁されることにより仕切弁８１が誘導樋７４と発射玉誘導路５３とを連通させる。ソレノイド８０が励磁されており、誘導樋７４と発射玉誘導路５３とが連通状態にある場合には、スクリュー７０により揚送されたパチンコ玉は誘導樋７４を介して発射玉誘導路５３へ導かれる。発射玉誘導路５３に導かれたパチンコ玉は発射玉誘導路５３に沿って打込玉出口４９（図２参照）へ案内される。
【００７２】
一方、ソレノイド８０が励磁されていない場合には、仕切弁８１は誘導樋７４と発射玉誘導路５３との連通を閉塞する。なお、図において仕切弁８１はこの連通を閉塞した状態が示されている。また、連通させた際の状態は図の点線で示されている。
【００７３】
仕切弁８１が発射玉誘導路５３への連通を閉塞している場合には、スクリュー７０により揚送されたパチンコ玉は仕切弁８１上を転動して、誘導樋７９により合流樋４７に案内される。したがって、誘導樋７９により合流樋４７に案内されたパチンコ玉は再びスクリュー７０により揚送されるとともにその揚送途中で研磨部材７２により研磨される。
【００７４】
この図９に示した実施形態においてパチンコ玉が研磨される表面部分は、図６（ｂ）に示した部分と同様であるが、繰り返しスクリュー７０に案内されて研磨されることにより、パチンコ玉の表面の広範囲を研磨することが可能である。なお、研磨部材７２の構造は図７（ａ）に示したようなものであってもよく、あるいはこの研磨装置自体を図７または図８に示したような構造に構成した上で、パチンコ玉を繰り返しスクリュー７０に案内して研磨するような構成にしてもよい。
【００７５】
また、ソレノイド８０が励磁された場合には、仕切弁８１は誘導樋７４と発射玉誘導路５３とを連通させるが、仕切弁８１は図の点線で示すように誘導樋７９を閉塞する閉塞弁としての機能をも果たすために、誘導樋７４と発射玉誘導路５３とが連通状態にある際に誤ってパチンコ玉が誘導樋７９側に進入してしまうことを防止できる。
【００７６】
なお、ここではこの研磨装置を図２に示す研磨部５４に適用した場合を例に挙げて説明したが、図３に示す研磨部５４に適用した場合には、図に示す発射玉誘導路５３が合流樋４７として適用され、合流樋４７が要研磨玉通路５８として適用される。
【００７７】
図１０は、図２，図３に示した研磨部５４として適用可能な研磨装置の実施形態を示す図である。この実施形態は、前述した図６に示した実施形態および図９に示した実施形態と比較して、スクリュー７０によりパチンコ玉を揚送後にパチンコ玉の研磨を行なう点に特徴を有する。さらに図６に示した実施形態および図９に示した実施形態では、ともに１回の研磨で磨かれるパチンコ玉の表面部分は図６（ｂ）に示したように限定されていたが、この図１０に示した実施形態では、進路誘導部８３の外形に工夫を凝らすことにより、パチンコ玉が研磨部材７２と接触する接触表面位置を転換させてパチンコ玉の広範囲部分を研磨可能とした点においても、その特徴を有する。
【００７８】
以下、この研磨装置を図２に示した研磨部５４に適用させた場合を例に挙げて詳細な説明を行なう。
【００７９】
合流樋４７によりスクリュー７０に案内されたパチンコ玉は、スクリュー７０により上部へ揚送される。この点については、揚送途中に研磨部材７２が設けられていないことを除いては図６および図９に示した各実施形態と同様であるので、詳細な説明は省略する。
スクリュー７０の上方位置には、研磨部材７２と進路誘導部８３と回転体８２とから構成される円形の誘導部９６が設けられており、スクリュー７０により揚送されたパチンコ玉はこの円形の誘導部９６により研磨されるとともに、研磨後に発射玉誘導路５３へ案内される。なお、研磨部材７２と回転体８２と進路誘導部８３とを示すＡ−Ａ線に沿う断面図を図１３（ｃ）に示す。すなわち、取外し可能な円盤状の研磨部材７２上に図１０の斜線で示す進路誘導部が取付けられており、さらにその上にモータ８４（図１３参照）により駆動されて回転可能な回転体８２が軸支されている。さらに図１３（ｃ）に示すように、取付けられた回転体８２を覆うような態様で進路誘導部８３が設けられている。すなわち、回転体８２がモータ８４側の進路誘導部８３と研磨部材７２側の進路誘導部８３とで挟まれるような態様となっている。さらにモータ８４側の進路誘導部８３には、図１３（ｃ）に示すように凹部が設けられている。また、回転体８２を挟んでこの凹部と反対側には、この凹部に対応するスペースだけ進路誘導部８３が欠いており、その部分に研磨部材７２が表出している。そして、回転体８２を挟んで構成されるこのスペースにより、スクリュー７０から揚送されたパチンコ玉を研磨するとともに発射玉誘導路５３へ誘導するための誘導スペースが構成されており、この誘導スペースが図１０（ａ）の進路誘導部８３（斜線で図示）で挟まれる部分に示されている。
【００８０】
回転体８２には、図１０（ａ）に示すように前述の誘導スペースに沿ってパチンコ玉を案内可能なＵ字形の案内部が設けられている。この案内部は、図に示すようにパチンコ玉の直径を超える奥行きを有している。したがって、パチンコ玉は案内部に固定されることなく自由に転動することが可能である。これにより、誘導スペースに沿ってパチンコ玉を案内することが実現される。
【００８１】
回転体８２は、モータ８４（図１３参照）の駆動力により図に向かって時計回りに回転する。回転体８２が回転することにより、スクリュー７０から放出されたパチンコ玉は所定のタイミングで回転体８２の案内部に進入し、誘導スペースに沿って回転体８２により円形誘導部９６内を回転した後、発射玉誘導路５３へ案内される。
【００８２】
図１０（ｂ）は、図１０（ａ）に示した研磨装置のＡ−Ａ線上に沿う一部断面図である。前述のとおり、円形誘導部９６内に構成される誘導スペースの片面は研磨部材７２により構成されているので、パチンコ玉は誘導される間に研磨される。この際、パチンコ玉は図のｘ方向に回転しつつ研磨されるので、斜線に示す帯状部分が研磨されることになる。
【００８３】
しかしながら、回転軸９７側に設けられた進路誘導部８３は、回転軸９７を中心とした異なる半径により構成される複数の円が組合せられた形状をしているので、誘導スペースに段差ができている。したがってパチンコ玉がこの段差を通過する際に図１０（ｂ）に示すｙ方向に所定角度だけ回転することになり、これにより、新たな表面部分が研磨されることになる。なお、図１０（ａ）では、このような段差が３箇所設けられており、したがってパチンコ玉が研磨部材７２と接触する接触表面位置が３度転換されることになり、パチンコ玉のそれぞれ異なる周囲部分が４箇所研磨されることになる。また、進路誘導部８３は研磨が進むにつれてその半径が短くなるように構成されているので、段差のあるごとにパチンコ玉が図１０（ｂ）のｙ方向に所定角ずつ回転していくことになる。これにより、適当に段差をつけてパチンコ玉がｙ方向に回転したりあるいはｙ′方向に回転したりするためにパチンコ玉が研磨部材７２と接触する位置を転換させたものの既に磨いた部分が重複して磨かれてしまうという不都合を防止できる。
【００８４】
図１１は、図４，図５に示した玉還元機６６として適用可能な研磨装置の第３実施形態を示す図である。なお、図２，図３に示した研磨部５４としても適用可能である。
【００８５】
まず、図１１（ａ）を参照して、パチンコ遊技機１から排出されたパチンコ玉は玉回収樋８９内に案内される。８２はモータ（図１３参照）の駆動力により回転する回転体であり、玉回収樋８９から導かれたパチンコ玉と係合する係合部を有している。回転体８２の奥には係合部と係合したパチンコ玉と接触して、パチンコ玉を研磨するための研磨部材７２が設けられている。すなわち、回転体の形状などは異なるものの、その基本的構成は図１０に示した円形誘導部９６と同じである。しかしながら、図１０と比較してパチンコ玉が研磨部材７２と接触する接触表面位置を転換させるための進路誘導部８３は設けられていない。パチンコ玉は回転体８２背面の研磨部材７２，回転体８２，および回転体８２手前に位置する壁面（図示省略）に保持されつつ、回転体８２の回転に伴って研磨部材７２で研磨されながら係合部内で一定方向に回転する。これにより、パチンコ玉の一定周囲部分のみが研磨されることになり、図１０の場合と比較して回転体８２に係合されている間に研磨される表面面積は小さい。
【００８６】
この研磨装置には、研磨部材７２で磨き終えたパチンコ玉を再度玉回収樋８９に案内するための誘導樋９３と、回転体８２と係合したパチンコ玉を誘導樋９３へ導くための可動片９２とが設けられている。可動片９２はソレノイド９１が励磁されていない場合には、図１１（ａ）に示すように、パチンコ玉と接触しない位置に退避している。したがって、この場合には、回転体８２と係合するパチンコ玉は回転体８２の回転力により順に玉排出樋９０側に押し出される。一方、玉排出樋９０側に押し出されたパチンコ玉は後続するパチンコ玉によりさらに押し進められて玉排出樋９０内に進入する。そして後続するパチンコ玉により排出樋９０を上昇する力が加えられることで、玉排出樋９０に進入したパチンコ玉が順に上方へ揚送された後、補給玉検出器６１（図４，５参照）で検出され、パチンコ遊技機１内の発射玉誘導路５３（図４参照）あるいは合流樋４７（図５参照）に放出される。
【００８７】
一方、可動片９２はソレノイド９１が励磁されることにより、図１１（ｂ）に示すように、玉排出樋９０へ向かうパチンコ玉を係止し、パチンコ玉の連動を中止させる。これにより、玉排出樋９０におけるパチンコ玉の揚送が停止する。さらに回転体８２と係合しつつ回転中のパチンコ玉が玉排出樋９０へ放出される箇所に可動片９２が位置するので、パチンコ玉は回転体８２から放出されることなくその係合部に留まることになる。そして、その位置からさらに回転体８２とともに回転した後、誘導樋９３へ放出される。誘導樋９３へ放出されたパチンコ玉は、玉回収樋８９へ案内された後、再び回転体８２と係合して研磨されることになる。
【００８８】
したがって、回転体８２と係合するパチンコ玉は、その一定周囲部分しか研磨されない構成であるものの、パチンコ玉を繰り返し循環して研磨することができるので同一周囲部分を２度、３度と続けて研磨する可能性は極めて低く、これによりパチンコ玉表面の広範囲部分を研磨可能である。
【００８９】
このような研磨装置を図５に適用する場合において、たとえば以下のように構成することが考えられる。この研磨装置内には、交換用のパチンコ玉を封入しておき、遊技中はソレノイド９１を励磁させて研磨装置内のパチンコ玉を繰り返し研磨する。そして、遊技中使用していたパチンコ玉と入替える際にソレノイド９１を非励磁状態にして、研磨済みのパチンコ玉をパチンコ遊技機１へ放出するように構成するのである。なお、この図１１に示した研磨装置の研磨部材７２は図１０に示したものと同様に容易に脱着可能であり、したがって消耗時に交換することが可能である。詳細については、図１３で後述する。
【００９０】
図１２は、図４および図５に示した玉還元機６６として適用可能な研磨装置の実施形態を示す図である。なお、この研磨装置をパチンコ遊技機１内に内蔵することにより、図２および図３に示す研磨部５４としても適用可能である。
【００９１】
図１２（ａ）は、この研磨装置の断面図であり、図１２（ｂ）は、特にその進路誘導部８３の形状を示す図である。この図１２に示した実施形態は、図１０に示した円形誘導部９６とほぼ同様の構成であり、Ｕ字形の案内部を有する回転体８２の背部にパチンコ玉を誘導する進路誘導部８３が設けられ、さらにその背部に研磨部材７２が設けられている。
【００９２】
回転体８２はモータ８４（図１３参照）の駆動力により玉回収樋８９から進入したパチンコ玉を進路誘導部８３で構成される誘導スペースに沿って回転させる。回転中のパチンコ玉は研磨部材７２と接触することで一定周囲を研磨され、また、進路誘導部８３の構造により、その接触表面位置が転換されることで複数の表面周囲が研磨される。
【００９３】
図１０に示した研磨装置と異なる点は、パチンコ玉を揚送前に研磨するとともに、スクリュー７０などを用いることなく回転体８３により研磨済みのパチンコ玉を揚送できる点である。すなわち、パチンコ遊技機１より回収されたパチンコ玉は玉回収樋８９を介して回転体８３に案内された後、研磨される。そして、玉排出樋９０付近まで案内されたパチンコ玉は進路誘導部８３の曲面に沿って玉排出樋９０内へ押し上げられる。さらに後続するパチンコ玉により玉排出樋９０を上昇してパチンコ遊技機１内へ放出される。
【００９４】
図１０に示した研磨装置と比較してパチンコ玉を揚送するためのスクリュー７０などを必要としない点において、製造コストを低減できるとともに構成を単純にすることができるという利点を有する。なお、研磨部材７２は、図１３において後述するように容易に脱着可能である。
【００９５】
図１３は、図１０〜図１２に示した研磨装置の研磨部材７２の着脱方法について説明するための図である。図１３（ａ），（ｂ）は、図１０〜図１２に示した研磨装置の背面図であり、図１３（ｃ）は、Ａ−Ａ線に沿う断面図を示す。なお、図１３（ｃ）において進路誘導部８３が図示されており、したがってこの図は図１０，図１２に示す研磨装置に対応するものである。しかしながら、図１１に示す研磨装置についても、研磨部材７２側に進路誘導部８３が設けられていない点を除いてほぼ同様の断面図となるので、図１３（ｃ）を代用して説明を行なう。
【００９６】
まず、図１３（ａ）を参照して、研磨部材７２には把手８８が設けられており、この把手を手にして研磨部材７２の着脱を行なう。さらに研磨部材７２には、大きさの異なる２つの突起８７ａ，８７ｂが設けられており、この突起を研磨装置側に設けられた凹部８５ａ，８５ｂにそれぞれ挿入することにより、研磨部材７２が研磨装置内に収まる。
【００９７】
凹部８５ａ，８５ｂは、それぞれ図示するように内部に溝８６ａ，８６ｂが設けられており、図１３（ｂ）に示すように把手８８を図に向かって時計回りにひねることで突起８７ａ，８７ｂがそれぞれ溝８６ａ，８６ｂ内に進入する。溝８６ａ，８６ｂは、突起８７ａ，８７ｂが進入する位置から奥に向かうにつれて徐々にその幅が狭くなるように構成されている。したがって、把手８８を所定角度ひねった時点で溝８６ａ，８６ｂと突起８７ａ，８７ｂとの摩擦力が働いて研磨部材７２が研磨装置に固定される。研磨部材７２の取外しは、以上の手順を逆に辿ることにより行なうことができる。
【００９８】
なお、突起８７ａと８７ｂとは同一の大きさでもよいが、突起８７ａと８７ｂの大きさに違いを持たせたのは、図１３（ｃ）に示すように研磨部材７２側に設けられた進路誘導部８３の形状が上下で異なるため、誤って上下逆に研磨部材７２が取付けられることを防止するためである。
【００９９】
図１３（ｃ）は、研磨部材７２の装着後の図を示す。モータ８４が駆動することにより、その駆動力が回転軸９７に伝達される。回転体８２は、この駆動力を受けて所定方向に回転しパチンコ玉を進路誘導部８３に沿って案内する。パチンコ玉は進路誘導部８３，回転体８２，研磨部材７２により保持されつつ研磨される。
【０１００】
なお、研磨部材７２が研磨装置に固定される際にひねられる方向は回転体８２の回転方向と同一方向となるように構成することが望ましい。これにより、パチンコ玉と研磨部材７２との摩擦力により、徐々に研磨部材７２が回転して外れてしまうといった不都合を防止できる。
【０１０１】
また、着脱方法はこの実施形態と限らず、ねじで固定しても係止爪でも、回転係止するようないわゆるフック状のものでも何でもよい。
【０１０２】
以下に、以上説明した実施形態の変形例や特徴点などを列挙する。
（１）  図１に示したように、パチンコ遊技機１はその内部にパチンコ玉が封入された封入式遊技機であるが、封入式以外の遊技機に対して、各実施形態を適用することも可能である。
【０１０３】
（２）  さらに図１に示したパチンコ遊技機はカード式のパチンコ遊技機であるが、遊技者がパチンコ玉を投入することにより遊技が行なわれる遊技機にも適用可能である。この場合、たとえば図３において共通カードの残額に基づいてパチンコ玉の交換を行なうようにするのに代えて、打球操作ハンドル６８が操作されていないことに基づいてパチンコ玉の入替が行なわれるように構成してもよい。
【０１０４】
（３）  図１１に示した研磨装置に図１２に示したような進路誘導部８３を設けてもよい。これにより、一層、パチンコ玉を無駄なく研磨することが可能となる。
【０１０５】
（４）  なお、研磨部材は磨けるものならばどういったものでもよく、たとえば布（繊維）、スポンジ、革、合成樹脂、紙などである。また、ゴムやバネなどの弾性部材を利用して研磨部材の表面を打玉により押しつけるようにしてもよい。
【０１０６】
【課題を解決するための手段の具体例】
図６〜図１３に示した研磨装置により、弾球遊技に使用される打玉に付着した汚れを磨き落とすための玉研磨装置が構成されている。なお、パチンコ玉により、前記打玉が構成されている。
【０１０７】
図６〜図１３に示した研磨部材７２により、打玉の所定表面を研磨するための研磨部材が構成されている。また、図６〜図１０に示したスクリュー７０、および図１１〜図１３に示した回転体８２により、前記打玉を前記研磨部材に対して回転させて移動させることにより打玉の研磨を可能とするための移動手段が構成されている。
【０１０８】
図７に示した突起７６，磁石７８、図８に示した研磨部材７２、図１０および図１２，図１３に示した進路誘導部８３により、前記打玉の回転方向に変化を加えることにより前記研磨部材と接触する該打玉の接触表面位置を転換可能な接触表面位置転換手段が構成されている。
【０１０９】
図９および図１０に示した合流樋４７、図１１に示した玉回収樋８９により、研磨対象となる打玉が進入する進入部が構成されている。さらに図９に示した誘導樋７４および仕切弁８１、図１１に示した可動片９２および誘導樋９３により、前記研磨手段で研磨され終えた打玉を遊技使用前に再度前記進入部に案内することが可能な案内部が構成されている。
【０１１０】
【課題を解決するための手段の具体例の効果】
請求項１に関しては、移動する打玉を磁力吸着させつつ磁力吸着箇所を中心に回転させることにより前記研磨部材と接触する該打玉の接触表面位置を転換可能であるために、該打玉に付着した汚れを万遍なく磨き落とすことができる。
【図面の簡単な説明】
【図１】パチンコ遊技機およびカードユニットを示す正面図である。
【図２】パチンコ遊技機の背面図である（パチンコ玉の還元機能に関する第１実施形態を示す）。
【図３】パチンコ遊技機の背面図である（パチンコ玉の還元機能に関する第２実施形態を示す）。
【図４】パチンコ遊技機の背面図である（パチンコ玉の還元機能に関する第３実施形態を示す）。
【図５】パチンコ遊技機の背面図である（パチンコ玉の還元機能に関する第４実施形態を示す）。
【図６】研磨装置の断面図である（研磨装置に関する第１実施形態を示す）。
【図７】研磨装置の断面図を示す図である（図６に示す研磨装置の変形例を示す）。
【図８】研磨装置の断面図である（図６の研磨装置の変形例を示す）。
【図９】研磨装置の断面図である（研磨装置に関する第２実施形態を示す）。
【図１０】研磨装置の断面図である（研磨装置に関する第３実施形態を示す）。
【図１１】研磨装置の断面図である（研磨装置に関する第４実施形態を示す）。
【図１２】研磨装置の断面図である（研磨装置に関する第５実施形態を示す）。
【図１３】図１０〜図１２に示す研磨装置における研磨部材７２の着脱方法について説明するための図である。
【符号の説明】
１はパチンコ遊技機、１１は遊技領域、２８はファール玉検出器、５０，５１はファール玉戻り口、４５はアウト口、１３は可変入賞球装置、４４は入賞玉集合カバー部材、４６は入賞玉検出器、４７は合流樋、４８は打込玉検出器、５４は研磨部、５５は供給玉検出器、５３は発射玉誘導路、５７は仕切弁、５８は要研磨玉通路、５９はソレノイド、６０は要研磨玉検出器、６１は補給玉検出器、６６は玉還元機、７０はスクリュー、７１はモータ、７２は研磨部材、７３は係止部材、７４は誘導樋、７５は誘導樋、７６は突起、７８は磁石、７９は誘導樋、８０はソレノイド、８１は仕切弁、８２は回転体、８３は進路誘導部、８４はモータ、８５ａ，８５ｂは凹部、８６ａ，８６ｂは溝、８７ａ，８７ｂは突起、８８は把手、８９は玉回収樋、９０は玉排出樋、９１はソレノイド、９２は可動片、９３は誘導樋、４９は打込玉出口、９４はパチンコ玉、９５は揚送通路、９６は円形誘導部、９７は回転軸である。
【図１】
0004057658.tif 000002
【図２】
0004057658.tif 000003
【図３】
0004057658.tif 000004
【図４】
0004057658.tif 000005
【図５】
0004057658.tif 000006
【図６】
0004057658.tif 000007
【図７】
0004057658.tif 000008
【図８】
0004057658.tif 000009
【図９】
0004057658.tif 000010
【図１０】
0004057658.tif 000011
【図１１】
0004057658.tif 000012
【図１２】
0004057658.tif 000013
【図１３】
0004057658.tif 000014